(57)【要約】      （修正有）【課題】非通電状態においてメッキによる高品質な鏡面効果の好ましい外観が得られ、通電状態において発光体が発光して文字などが表示され、警告効果を高めることのできる自動車用字光式ＬＥＤ電気装飾品を提供する。【解決手段】光透過性の材質で外部表面にはスパッタリングメッキでメッキ膜を形成し、かつ内側にネジ孔１１を形成した外カバー１０と、正面側に互いに連通する複数の収納溝２１を形成し、背面側には貫通孔を穿設した複数の連結部２３と係合溝と係合部とを設けて車両ボディーに締結する支持フレーム２０と、収納溝に対応し、互いに電気的に接続する複数で、かつ一連のＬＥＤプレート３１の一端にＬＥＤランプの発光の変換を制御する制御手段３３と、かつ制御手段の他端にテールランプの電源に接続する電源コード３４を接続してなる発光モジュール３０と、文字、記号などを切り抜いた切り抜き溝を形成してなり、ＬＥＤプレートの正面側を覆う文字板４０と、を具えてなる。【選択図】図２
0003197249.tif 000002
【実用新案登録請求の範囲】
【請求項１】
光透過性の材質によってなり、外部表面にはスパッタリングメッキでメッキ膜を形成し、かつ内側にネジ孔を形成した外カバーと、
正面側に、互いに連通する複数の収納溝を形成し、背面側には貫通孔を穿設した複数の連結部と、係合溝と、係合部とを設け、かつ車両ボディーの自動車登録番号標の上方の位置に締結する支持フレームと、
該支持フレームの該収納溝に対応し、互いに電気的に接続する複数で、かつ一連のＬＥＤプレートの一端に、ＬＥＤランプの発光の変換を制御する制御手段の一端を電気的に接続し、かつ該制御手段の他端にテールランプの電源に接続する電源コードを電気的に接続してなる発光モジュールと、
文字、記号などを切り抜いた切り抜き溝を形成してなり、該ＬＥＤプレートの正面側を覆う文字板と、を具えてなることを特徴とする自動車用字光式ＬＥＤ電気装飾品。
【請求項２】
前記外カバー外部表面に形成する該メッキ膜の厚さが０.１μｍから１μｍの範囲であることを特徴とする請求項１に記載の自動車用字光式ＬＥＤ電気装飾品。
【請求項３】
前記発光モジュールの該ＬＥＤプレートが、アクリルか、もしくは軟質のシリコン材の表面に艶消処理を施してなり、かつ該ＬＥＤプレートの水平方向の両端には、二色の光源となるライトバーを嵌着することを特徴とする請求項１に記載の自動車用字光式ＬＥＤ電気装飾品。
【請求項４】
前記発光モジュールの該電源コードの一端にプラグを設けることを特徴とする請求項１に記載の自動車用字光式ＬＥＤ電気装飾品。
【考案の詳細な説明】
【技術分野】
【０００１】
この考案は、電気装飾品に関し、特に自動車の後尾部に設ける自動車用カーアクセサリーとしての自動車用字光式ＬＥＤ電気装飾品に関する。
【背景技術】
【０００２】
近年、生活水準が高まり、その品質の向上とともに、自動車産業も急速な発展を遂げ、自動車の普及率もますます高まった。このため、自動車は便利な移動手段だけではなく、個人の生活の趣を代表する表象となった。
多くの人々が自動車にアクセサリーを取付けてカスタマイズし、車体を美化するようになった。このため、市場のニーズとして優れた品質の装飾板の開発が望まれている。そこで、消費者の希望を叶える新規なカーアクセサリーの開発が必要となった。
【考案の概要】
【考案が解決しようとする課題】
【０００３】
この考案は、非通電状態においてメッキによる高品質な鏡面効果の好ましい外観が得られ、通電状態において発光体が発光して文字、又は記号が表示され、夜間に走行する場合、もしくはブレーキを踏んだ場合の警告効果を高めることのできる自動車用字光式ＬＥＤ電気装飾品を提供することを課題とする。
【課題を解決するための手段】
【０００４】
そこで、本考案者は従来カーアクセサリーを参照して鋭意研究を重ねた結果、光透過性の材質で外部表面にはスパッタリングメッキでメッキ膜を形成し、かつ内側にネジ孔を形成した外カバーと、正面側に互いに連通する複数の収納溝を形成し、背面側には貫通孔を穿設した複数の連結部と係合溝と係合部とを設けて車両ボディーに締結する支持フレームと、該収納溝に対応し、互いに電気的に接続する複数で、かつ一連のＬＥＤプレートの一端にＬＥＤランプの発光の変換を制御する制御手段の一端を電気的に接続し、かつ該制御手段の他端にテールランプの電源に接続する電源コードを電気的に接続してなる発光モジュールと、文字、記号などを切り抜いた切り抜き溝を形成してなり、該ＬＥＤプレートの正面側を覆う文字板と、を具えてなる自動車用字光式ＬＥＤ電気装飾品によって課題を解決でできる点に着眼し、係る知見に基づいて本考案を完成させた。
【０００５】
以下この考案について説明する。請求項１に記載する自動車用字光式ＬＥＤ電気装飾品は、光透過性の材質によってなり、外部表面にはスパッタリングメッキでメッキ膜を形成し、かつ内側にネジ孔を形成した外カバーと、
正面側に、互いに連通する複数の収納溝を形成し、背面側には貫通孔を穿設した複数の連結部と、係合溝と、係合部とを設け、かつ車両ボディーの自動車登録番号標の上方の位置に締結する支持フレームと、
該支持フレームの該収納溝に対応し、互いに電気的に接続する複数で、かつ一連のＬＥＤプレートの一端に、ＬＥＤランプの発光の変換を制御する制御手段の一端を電気的に接続し、かつ該制御手段の他端にテールランプの電源に接続する電源コードを電気的に接続してなる発光モジュールと、
文字、記号などを切り抜いた切り抜き溝を形成してなり、該ＬＥＤプレートの正面側を覆う文字板と、を具えてなる。
【０００６】
請求項２に記載する自動車用字光式ＬＥＤ電気装飾品は、請求項１における外カバーの外部表面に形成する該メッキ膜の厚さが０.１μｍから１μｍの範囲である。
【０００７】
請求項３に記載する自動車用字光式ＬＥＤ電気装飾品は、請求項１における発光モジュールの該ＬＥＤプレートが、アクリルか、もしくは軟質のシリコン材の表面に艶消処理を施してなり、かつ該ＬＥＤプレートの水平方向の両端には、二色の光源となるライトバーを嵌着する。
【０００８】
請求項４に記載する自動車用字光式ＬＥＤ電気装飾品は、請求項１における発光モジュールの該電源コードの一端にプラグを設ける。
【図面の簡単な説明】
【０００９】
【図１】この考案による自動車用字光式ＬＥＤ電気装飾品の使用態様を示した説明図である。
【図２】この考案による自動車用字光式ＬＥＤ電気装飾品の構造を示した分解図である。
【図３】この考案による自動車用字光式ＬＥＤ電気装飾品の一部構造を示した説明図である。
【図４】この考案による自動車用字光式ＬＥＤ電気装飾品の断面構造を示した縦断面図である。
【図５】この考案による自動車用字光式ＬＥＤ電気装飾品の使用態様を示した他の説明図である。
【考案を実施するための形態】
【００１０】
この考案は、非通電状態においてメッキによる高品質な鏡面効果の好ましい外観が得られ、通電状態において発光体が発光して文字、又は記号が表示され、夜間に走行する場合、もしくはブレーキを踏んだ場合の警告効果を高めることのできる自動車用字光式ＬＥＤ電気装飾品を提供するものであって、光透過性の材質で外部表面にはスパッタリングメッキでメッキ膜を形成し、かつ内側にネジ孔を形成した外カバーと、正面側に互いに連通する複数の収納溝を形成し、背面側には貫通孔を穿設した複数の連結部と係合溝と係合部とを設けて車両ボディーに締結する支持フレームと、該収納溝に対応し、互いに電気的に接続する複数で、かつ一連のＬＥＤプレートの一端にＬＥＤランプの発光の変換を制御する制御手段の一端を電気的に接続し、かつ該制御手段の他端にテールランプの電源に接続する電源コードを電気的に接続してなる発光モジュールと、文字、記号などを切り抜いた切り抜き溝を形成してなり、該ＬＥＤプレートの正面側を覆う文字板と、を具えてなる。係る自動車用字光式ＬＥＤ電気装飾品の構造と特徴を説明するために、具体的な実施例を挙げ、図面を参照にして以下に詳述する。
【実施例】
【００１１】
図１から４に開示するように、この考案による自動車用字光式ＬＥＤ電気装飾品１は、外カバー１０と、支持フレーム２０と、発光モジュール３０と、文字板４０とによってなる。
【００１２】
外カバー１０は、光透過性の材質によってなり、内側にネジ孔１１を形成し、外部表面にはスパッタリングメッキでメッキ膜１２を形成する。メッキ膜１２の厚さは０.１μｍから１μｍの範囲とする。よって、外カバー１０にはハイクオリティー感を表現するメッキ効果が確実に得られる。また、光源から照射される光線が背面から通過して最も好ましい効果が得られる。
【００１３】
支持フレーム２０は、正面側に、互いに連通する複数の収納溝２１を形成する。また、背面側には、図３に開示するように貫通孔２２を穿設した複数の連結部２３と、係合溝２４と、係合部２５とを設ける。
【００１４】
発光モジュール３０は、支持フレーム２０の収納溝２１に対応し、かつ互いに電気的に接続してなるＬＥＤプレート３１を具える。実施例においてＬＥＤプレート３１は、アクリルか、もしくは軟質のシリコン材の表面に艶消処理を施してなる。また、ＬＥＤプレート３１の水平方向の両端には、図２に開示するように、二色の光源となるライトバー３２を嵌着して、ＬＥＤプレート３１をして二色の発光効果を具えるＬＥＤプレートにする。
【００１５】
電気的に接続する一連のＬＥＤプレート３１の一端には、ＬＥＤランプの発光の変換を制御する制御手段３３の一端を電気的に接続し、かつ制御手段３３の他端には電源コードを電気的に接続する。
【００１６】
文字板４０は、ＬＥＤプレート３１の正面側を覆い、かつ文字板４０は、文字、記号などを切り抜いた切り抜き溝４１を形成する。
【００１７】
上述する部材を組み立てる場合は、発光モジュール３０のそれぞれのＬＥＤプレートに文字板４０を貼着して覆い、対応する支持フレーム２０の収納溝に嵌着する。また、電源コード３４を外部に延伸させる。さらに、締結部材２６で外カバー１０を支持フレーム２０の連結部２３の貫通孔２２を介して外カバー１０のネジ孔１０に挿通させて外カバー１０を支持フレーム２０に締結して、自動車用字光式ＬＥＤ電気装飾品１の組立を完成させる。
【００１８】
図３、４に開示するように、この考案による自動車用字光式ＬＥＤ電気装飾品１を車両に取り付ける場合は、自動車の内装用クリップ、プッシュリベット、ファスナーなどの留め具を支持フレーム２０に設けた係合部２５に挿通させて、車両ボディー５０の自動車登録番号標の上方の位置に締結する。
【００１９】
また、図３、４に開示するように、固定部材２７を係合部２５の係合溝２４に挿通させて、ナット２８で締結してナンバープレート灯具１を車両ボディー５０に固定してもよい。
【００２０】
さらに、自動車用字光式ＬＥＤ電気装飾品１の外部に延伸する電源コード３４と、車両のテールランプ５１の電源に電気的に接続して取付けを完成させる。実際に実施する場合は、図２に開示するように、発光モジュール２の電源コード３４の一端にプラグ３５を設けて、テールランプ５１の電源に差し込む方式にすると便利である。
【００２１】
図１、４、５に開示するように、自動車用字光式ＬＥＤ電気装飾品１の発光モジュール３０が、例えば昼間に自動車を運転し、テールランプを点灯させていない場合、もしくはブレーキを踏んでいない場合など、非通電状態にある場合、自動車用字光式ＬＥＤ電気装飾品１内に形成した文字、記号は、外カバー１０の表面に形成したメッキ膜１２の効果によって目立たなくなる。このため、図１に開示するように自動車用字光式ＬＥＤ電気装飾品１の表面には完璧なメッキ効果が表れ、ハイクオリティー感、好ましい美観のある金属鏡面効果が在られる。
【００２２】
また、例えば夜間に自動車を運転し、テールランプを点灯させている場合、もしくはブレーキを踏んだ場合など、発光モジュール３１が通電状態の場合はＬＥＤプレート３１が点灯し、光線が文字板４０の切り抜き溝４１を通過し、かつ外カバー１０のメッキ膜１２を通過して外部に照射される。よって、図４、５に開示するように、高い識別度を表現する照明効果が得られる。
【００２３】
さらに、自動車用字光式ＬＥＤ電気装飾品１の電源コード３４はテールランプ５１の電源に電気的に接続する。よって、ＬＥＤプレート３１は二色の光源を有する、このため、例えば該二色の光源を青色と赤色の光源とした場合、テールランプ５１が点灯すると、自動車用字光式ＬＥＤ電気装飾品１は青色の光線を照射し、ブレーキを踏むと照射する光線が赤色に変化する。又は、制御手段３３の制御プログラムによって、赤色の光線を照射し、かつ点滅するようにしてもよい。この場合は警告作用が高められ、自動車走行時の安全性をさらに高めることができる。
【符号の説明】
【００２４】
１           自動車用字光式ＬＥＤ電気装飾品
１０         外カバー
１１         ネジ孔
１２         メッキ膜
２０         支持フレーム
２１         収納溝
２２         貫通孔
２３         連結部
２４         係合溝
２５         係合部
２６         締結部材
３０         発光モジュール
３１         ＬＥＤプレート
３２         ライトバー
３３         制御手段
３４         電源コード
３５         プラグ
４０         文字板
４１         切り抜き溝
５０         車両ボディー
５１         テールランプ
【図１】
0003197249.tif 000003
【図２】
0003197249.tif 000004
【図３】
0003197249.tif 000005
【図４】
0003197249.tif 000006
【図５】
0003197249.tif 000007